(57)【特許請求の範囲】
【請求項１】
ドアパネルに固定されたエスカッションと、シャフトによりエスカッションに回転可能に取り付けられかつドアロック装置に連結されたハンドルと、ハンドルをエスカッションに対して弾性的に押圧するスプリングと、エスカッションに取り付けられ且つハンドルに当接させてハンドルの衝撃を緩和させる弾性材から成るストッパとを備え、信号を発信する発信部とその信号を受診する受信部がハンドル下方に配置された自動車用ドアハンドル装置において、
該ハンドルの下端に、ハンドルを引き上げた際には、前記発信部及び受信部の表面に沿って下方に移動し、ハンドルを戻すと前記発信部及び受信部より上方に移動する弾性材からなるリップ部を設けたことを特徴とする自動車用アウトサイドハンドル装置。
【請求項２】
ドアパネルに固定されたエスカッションと、シャフトによりエスカッションに回転可能に取り付けられかつドアロック装置に連結されたハンドルと、ハンドルをエスカッションに対して弾性的に押圧するスプリングと、エスカッションに取り付けられ且つハンドルに当接させてハンドルの衝撃を緩和させる弾性材から成るストッパとを備え、信号を発信する発信部とその信号を受診する受信部がストッパ下方に配置された自動車用ドアハンドル装置において、
該ストッパの下方に延長部を設け、その延長部がハンドルを引き上げた際には、前記発信部及び受信部の表面に沿って下方に移動し、ハンドルを戻すと前記発信部及び受信部より上方に移動するようにしたことを特徴とする自動車用アウトサイドハンドル装置。
【請求項３】
前記発信部及び受信部の表面を斜め上方に向けたことを特徴とする請求項１または２記載の自動車用アウタサイドハンドル装置。
【請求項４】
前記リップ部または前記ストッパの裏面に植毛を施したことを特徴とする請求項１または２記載の自動車用アウトサイドハンドル装置。
【請求項５】
前記リップ部または前記ストッパの裏面形状を凹凸にしたことを特徴とする請求項１または２記載の自動車用アウトサイドハンドル装置。
【発明の詳細な説明】
【０００１】
【産業上の利用分野】
この発明はハンドル部に信号発信部及び受信部を有し、その信号により、ドアロックの施開錠を行ったり、車室内灯の点灯消灯等を行うドアハンドル装置、特にその発信部及び受信部の汚れを、ハンドル操作により、払拭させるようにした自動車用ドアアウトサイドハンドル装置に関するものである。
【０００２】
【従来の技術】
従来の自動車用ドアハンドル装置は、図７，８に示すように、エスカッション１と、シャフト３によりエスカッション１に回転可能に取り付けられ略コの字状の断面を保有するハンドル２と、ハンドル２をエスカッション１に対して弾性的に押圧するスプリング４とを備えている。エスカッション１は、図示しないがドアパネルに固定される。ハンドル２のアーム部２ａは、図示しないドアロック装置に連結され、ラッチの解除ができるようになっている。図８に示すように、エスカッション１に形成された開口部５には弾性材から成るストッパ８が装着され、ストッパ８はハンドル取手奥部２ｃに当接する。
【０００３】
ハンドル取手奥部２ｃまたは、ストッパ８の下方のエスカッション１には、信号をハンドル裏面２ｄに向けて発信する発信部６とハンドル裏面から跳ね返った信号を受信する受信部７が設定され、この発信部６及び受信部７は図示しないコントローラに繋がっている。一方、ドアを開けようとしてハンドル２を手動で引こうとした時には、コの字断面の中空部２ｂに指が掛かり、信号を遮るため、信号の発信から受信までの時間や信号の強さが変わる等の変化が、コントローラに伝わる。コントローラは、この変化を感知し、ドアロックの開錠信号や車室内灯の点灯信号を発信する。
【０００４】
また、ハンドル２に手を掛けた後、スプリング４の弾力に抗してハンドル２を手動で引くとドアロック装置のラッチが解除されドアを開放することができる。その際、ハンドル２から手を離すとスプリング４の弾性力によりハンドル２はエスカッション１に当接する。ハンドル２がエスカッション１に当接する際に発生する衝撃力はハンドル２をストッパ８が受けることにより吸収される。
【０００５】
【発明が解決しようとする課題】
このようなシステムでは車両ユーザまたは車両に乗り込もうとする人の接近を認識する必要があるため、信号をエスッカション表面より車外側に向けて放射する必要があり、発信部および受信部は、外気に面して取り付けられている。一方、外気や雨水には埃等が含まれており、この埃等が、発信部表面および受信部表面に付着し汚れ易い構造となっている。この為、従来構造では、発信部表面が汚れ、指が中空部へ掛かったことを感知するのに十分な強さの発信信号が、得られない等の欠点があり、これは、受信部表面が汚れた場合にも同様である。また、前記機能を常に正常作動させるためには、車両ユーザは頻繁に、発信部および受信部の表面を掃除をする必要があった。
【０００６】
そこで、この発明の目的は、車両ユーザが発信部および受信部の表面を掃除することなく、その表面の汚れを払拭しえる、自動車用ドアアウトサイドハンドル装置を提供することにある。
【０００７】
【課題を解決するための手段】
この発明による自動車用ドアアウトサイドハンドル装置は、ドアパネルに固定されたエスカッションと、シャフトによりエスカッションに回転可能に取り付けられかつドアロック装置に連結されたハンドルと、ハンドルをエスカッションに対して弾性的に押圧するスプリングと、エスカッションに取り付けられ且つハンドルに当接させてハンドルの衝撃を緩和させる弾性材から成るストッパとを備え、ハンドル下方またはストッパ下方に信号を発信する発信部と信号を受診する受信部が配置された自動車用ドアハンドル装置において、該ハンドルの下端に弾性材からなるリップ部を設けるかまたは、前記ストッパの下方に延長部を設け、そのリップ部または延長部がハンドルを引き上げた際には、前記発信部及び受信部の表面に沿って下方に移動し、ハンドルを戻すと前記発信部及び受信部より上方に移動するようにする。
【０００８】
【作用】
ハンドル下端にリップ部を設けるかまたはストッパ下端を延長するので、ハンドルを引き上げるだけで、受信部及び発信部の表面に沿って、弾性部材が移動する。すなわち、通常のドア開閉操作を行うだけで、発信部及び受信部に付着した汚れを払拭することが可能となり、その発信、受信を行っている信号を正確に把握することが可能となる。したがって、車両ユーザが特別に発信部および受信部の掃除を行うことなく、その表面の汚れは払拭される。
【０００９】
【実施例】
以下、この発明による自動車用ドアアウトサイドハンドル装置の実施例を図１〜３に従って説明する。図１〜３では、図７および８に示す箇所と同一の部分には同一の符号を付し、説明を省略する。
【００１０】
図１〜３に示すように、この発明の自動車用アウトサイドハンドル装置では、エスカッション２の外表面側には、発信部１６および受信部１７が設けられ、その発信部表面１６ａおよび受信部表面１７ａは車外側の斜め上方に向いて取り付けられている。また、発信部表面１６ａおよび受信部表面１７ａの上方には、車外側に向けて段差部１９が設けられ、弾性材からなるストッパ８の外表面側下方には裏面に植毛２０を施した延長部１８が設けられている。この延長部１８の下端部１８ａは、ハンドル２を戻した状態では、ハンドル取手奥部２ｃに押され、段差部１９により、折り曲げられるとともに、発信部表面１６ａおよび受信部表面１７ａより上方に位置しており、信号の発信および受信に支障が無いようにされている。また、ドアを開ける通常動作を行った場合、すなわちハンドル２を引くと、図３の破線で示すように延長部下端１８ａは、発信部表面１６ａおよび受信部表面１７ａに沿って、その弾性力により押し付けられながら発信部表面１６ａおよび受信部表面１７ａの最下端より下方に移動し、次にドアロック装置のラッチが解除された後、ハンドル２を離せば、図３の実線で示すように、再びハンドル取手奥部２ｃに押され、段差部１９により、折り曲げられ、発信部表面１６ａおよび受信部表面１７ａに沿って押し付けられながら上方に移動し、信号の発信、受信に支障の無い位置に戻る。このとき、図６（ａ）に示すように、発信部表面１６ａおよび受信部表面１７ａに汚れ５０が付着している場合には、図６（ｂ）に示すように、下端部１８ａにより汚れ５０は下方に掃き出される。また、下方に掃き出されなかった汚れがあったとしても、下端部１８ａが上方に移動する時に上方へ、掃き出される。すなわち、ドアを開ける通常動作を行うだけで、延長部下端１８ａは、発信部表面１６ａおよび受信部表面１７ａを上下方向に往復して払拭するようになっている。
【００１１】
図４は、他の実施例としての自動車用アウトサイドハンドル装置を示す。
【００１２】
このアウトサイドハンドル装置では、図３に示す実施例と同様、発信部表面１６ａおよび受信部表面１７ａより上方には、車外側に向けて段差部２９を設ける。そして、ハンドル２の取手奥部２ｃの下端に弾性部材からなるリップ部２８が設けられている。前記リップ部２８の下端部２８ａは、前記延長部下端１８ａ同様、ハンドル２を戻した場合には、ハンドル取手奥部２ｃと段差部２９に押され、且つ折り曲げられ、発信部表面１６ａおよび受信部表面１７ａの上方に位置して、信号の発信および受信に支障が無いようにされている。また、ドアを開ける通常動作を行った場合も同様に、すなわちハンドル２を引くと、図４の破線で示すようにリップ部下端２８ａは、発信部表面１６ａおよび受信部表面１７ａに沿ってその弾性力により押し付けられながら発信部表面１６ａおよび受信部表面１７ａの最下端より下方に移動し、次にハンドル２を離せば、図４の実線で示すように、再びハンドル取手奥部２ｃと段差部２９に押され、且つ折り曲げられ、押し付けられながら上方に移動し、発信部表面１６ａおよび受信部表面１７ａを上下方向に往復して払拭するようになっている。このとき、リップ下端は発信部表面１６ａおよび受信部表面１７ａより上方に位置し、信号の発信、受信に支障が無い位置に戻る。
【００１３】
図５は、もう一つの他の実施例としての自動車用アウトサイドハンドル装置を示す。
【００１４】
このアウトサイドハンドル装置では、図３、４に示す実施例と同様、発信部表面１６ａおよび受信部表面１７ａより上方には、車外側に向けて段差部３９を設ける。そして、弾性材からなるストッパ８の外表面側下方には裏面形状を凹凸にした延長部３８が設けられている。前記延長部３８の下端部３８ａは、前記延長部下端１８ａ、リップ部下端２８ａ同様、ハンドル２を戻した場合には、ハンドル取手奥部２ｃと段差部２９に押され、且つ折り曲げられ、発信部表面１６ａおよび受信部表面１７ａの上方に位置して、信号の発信および受信に支障が無いようにされている。また、ドアを開ける通常動作を行った場合も同様に、すなわちハンドル２を引くと、図５の破線で示すようにリップ部下端３８ａは、発信部表面１６ａおよび受信部表面１７ａに沿ってその弾性力により押し付けられながら発信部表面１６ａおよび受信部表面１７ａの最下端より下方に移動し、次にハンドル２を離せば、図５の実線で示すように、再びハンドル取手奥部２ｃと段差部３９に押され、且つ折り曲げられ、押し付けられながら上方に移動し、発信部表面１６ａおよび受信部表面１７ａを上下方向に往復して払拭するようになっている。このとき、延長部下端は発信部表面１６ａおよび受信部表面１７ａより上方に位置し、信号の発信、受信に支障が無い位置に戻る。
【００１５】
【発明の効果】
請求項１記載の構造によれば、ハンドルの下端に弾性材からなるリップ部を設け、そのリップ部がハンドルを引き上げた際には、前記発信部及び受信部の表面に沿って下方に移動し、ハンドルを戻すと前記発信部及び受信部より上方に移動するようにしたので、通常のドア開閉操作を行うだけで、発信部及び受信部に付着した汚れを払拭することが可能となり、その発信、受信を行っている信号を正確に把握することが可能となる。したがって、車両ユーザは発信部および受信部の表面を掃除することなく、その表面の汚れは払拭され、利便性向上のために付加した機能を常に正常作動させることが出来る。
【００１６】
請求項２記載の構造によれば、ストッパの下方に延長部を設け、その延長部がハンドルを引き上げた際には、前記発信部及び受信部の表面に沿って下方に移動し、ハンドルを戻すと前記発信部及び受信部より上方に移動するようにしたので、その弾性部材をストッパと一体化が可能となり、部品点数の増加が押さえられ、アウトサイドサイドハンドル装置の組み立て工数を増加させることなく、通常のドア開閉操作を行うだけで、発信部及び受信部に付着した汚れを払拭することが可能となり、その発信、受信を行っている信号を正確に把握することが可能となる。
【００１７】
請求項３記載の構造によれば、発信部及び受信部の表面を斜め上方に向けたので、重力により、弾性部材が発信部及び受信部の表面にさらに強く押し付けられ汚れの払拭効果がさらに高まる。
【００１８】
請求項４記載の構造によれば、延長部またはリップ部裏面に植毛を行ったので、その植毛により、払拭効果がさらに高まる。
【００１９】
請求項５記載の構造によれば、延長部またはリップ部裏面形状を凹凸にしたので、受信部及び送信部への面圧が上がり、払拭効果がさらに高まる。
【図面の簡単な説明】
【図１】本発明の実施形態における自動車用ドアアウトサイドハンドル装置の正面図
【図２】図１のＡ−Ａ線に沿う断面図
【図３】図２のストッパまわりの拡大図
【図４】本発明の別の実施形態におけるストッパまわりの拡大図
【図５】本発明の別の実施形態におけるストッパまわりの拡大図
【図６】（ａ）  図３の発信部表面または受信部表面まわりの拡大図
（ｂ）  図３の発信部表面または受信部表面まわりの拡大図
【図７】従来の構造における自動車用ドアアウトサイドハンドル装置の正面図
【図８】図７のＢ−Ｂ線に沿う断面図
【符号の説明】
１        エスカッション
２        ハンドル
２ａ      ハンドルのアーム部
２ｂ      ハンドルの中空部
２ｃ      ハンドルの取手奥部
２ｄ      ハンドル裏面
３        シャフト
４        スプリング
５        開口部
６        発信部
６ａ      発信部表面
７        受信部
７ａ      受信部表面
８        ストッパ
１８      ストッパ延長部
１８ａ    延長部下端
１９      段差部
２０      植毛
２８      リップ部
２８ａ    リップ部下端
２９      段差部
３８      ストッパ延長部
３８ａ    延長部下端
３９      段差部
５０      汚れ
【図１】
0003572398.tif 000002
【図２】
0003572398.tif 000003
【図３】
0003572398.tif 000004
【図４】
0003572398.tif 000005
【図５】
0003572398.tif 000006
【図６】
0003572398.tif 000007
【図７】
0003572398.tif 000008
【図８】
0003572398.tif 000009